(57)【要約】本発明は、触媒若しくは燃焼エンハンサーを極めて低い濃度（約200, 000,000分の1〜約6,000,000,000,000分の1の範囲であることが好ましい。）で加えることにより、燃料の燃焼性を改善する方法にある。上記触媒若しくは燃焼エンハンサーを、広範な範囲の可溶性化合物から選択してもよい。この方法は、上記触媒若しくはエンハンサーと適切な溶媒との第一混合ステップ、及びその後連続して行われる、溶媒若しくは燃料を使用した希釈ステップとを備えていてもよい。適切な溶媒には、水、ＭＴＢＥ、メチルケトン、メチルイソブチルケトン、ブタノール、イソプロピルアルコール、他の親水性／親油性の化合物を含む。【特許請求の範囲】
【請求項１】
燃料の燃焼性を改善するための方法であって、
重量換算で、燃料100,000,000に対して燃焼触媒若しくはエンハンサー1以下の濃度で、燃焼触媒若しくはエンハンサーを燃料に加えるステップを含むことを特徴とする方法。
【請求項２】
さらに、前記触媒若しくはエンハンサーを溶解及び拡散させるステップを含むことを特徴とする請求項１記載の方法。
【請求項３】
重量換算で、燃料500,000,000に対して燃焼触媒若しくはエンハンサー1以下の濃度で、前記燃焼触媒若しくはエンハンサーが燃料に添加されることを特徴とする請求項１又は２記載の方法。
【請求項４】
重量換算で、燃料1,000,000,000に対して燃焼触媒若しくはエンハンサー1以下の濃度で、前記燃焼触媒若しくはエンハンサーが燃料に添加されることを特徴とする請求項１又は２記載の方法。
【請求項５】
重量換算で、燃料100,000,000,000に対して燃焼触媒若しくはエンハンサー1以下の濃度で、前記燃焼触媒若しくはエンハンサーが燃料に添加されることを特徴とする請求項１又は２記載の方法。
【請求項６】
重量換算で、燃料に対する燃焼触媒の濃度が、約100,000,000,000分の1〜約6,000,000,000,000分の1の範囲で、燃焼触媒が燃料に添加されることを特徴とする請求項１又は２記載の方法。
【請求項７】
前記燃焼触媒若しくはエンハンサーが、少なくとも、表１、表２、表３及び表４で特定される化学種の一つであることを特徴とする請求項１又は２記載の方法。
【請求項８】
前記燃焼触媒若しくはエンハンサーが、少なくとも、表１で特定される化学種の一つであることを特徴とする請求項７記載の方法。
【請求項９】
前記燃焼触媒若しくはエンハンサーが、少なくとも、表２で特定される化学種の一つであることを特徴とする請求項７記載の方法。
【請求項１０】
前記燃焼触媒若しくはエンハンサーが、少なくとも、表３で特定される化学種の一つであることを特徴とする請求項７記載の方法。
【請求項１１】
前記燃焼触媒若しくはエンハンサーが、少なくとも、表４で特定される化学種の一つであることを特徴とする請求項７記載の方法。
【請求項１２】
前記燃焼触媒若しくはエンハンサーが、貴金属元素およびその合金を含んでいることを特徴とする請求項２記載の方法。
【請求項１３】
燃焼が、内部燃焼エンジン内で起こることを特徴とする請求項１〜１２のいずれかに記載の方法。
【請求項１４】
燃焼が、ボイラー、加熱炉内で起こり、該燃焼は熱を提供するためのものであることを特徴とする請求項１〜１２のいずれかに記載の方法。
【請求項１５】
燃焼が、ジェットエンジン若しくは他のタービンで起こることを特徴とする請求項１〜１２のいずれかに記載の方法。
【請求項１６】
前記燃焼触媒若しくはエンハンサーが、200,000,000分の1〜6,000,000,000,000分の1（ｗ／ｗ）の範囲の濃度で、燃料に散布することにより固体燃料に加えることを特徴とする請求項１〜１２のいずれかに記載の方法。
【請求項１７】
前記燃焼触媒若しくはエンハンサーが、前記燃焼プロセスのために酸素を供給する空気ストリームに加えられることを特徴とする請求項１〜１２のいずれかに記載の方法。
【請求項１８】
前記燃焼触媒若しくはエンハンサーが、触媒とスチームとを結合させることによりタービンに添加されることを特徴とする請求項１〜１２のいずれかに記載の方法。
【請求項１９】
前記燃焼触媒若しくはエンハンサーが、気体状の燃料に添加することを特徴とする請求項１〜１２のいずれかに記載の方法。
【請求項２０】
燃焼が、エンジン内で起こり、燃焼触媒若しくはエンハンサー無しにエンジンを作動させた場合と比較したとき、燃焼混合物における燃料に対する空気の割合が増加することを特徴とする請求項１〜１２のいずれかに記載の方法。
【請求項２１】
前記燃焼触媒が、カリウムヘキサクロロプラチネート（ＩＶ）及びハイドロゲンヘキサクロロプラチネート（ＩＶ）の一方若しくは双方であることを特徴とする請求項２記載の方法。
【請求項２２】
前記燃焼触媒が、ポリ塩化ビニル及び硝酸アンモニウムのうちの一つであることを特徴とする請求項１又は２記載の方法。
【請求項２３】
燃料の燃焼性を改善するための方法であって、
燃焼触媒若しくはエンハンサーを水若しくは他の溶媒と混合し、第一プリミックスを生成するステップと、
前記第一プリミックスを、親水性／親油性の有機化合物と混合し、第二プリミックスを生成するステップと、
前記第二プリミックスを前記燃料若しくは燃料と相溶性を有する溶媒に混合し、第三プリミックを生成するステップと、
前記第三プリミックスを液体燃料に混合するステップとを備えることを特徴とする方法。
【請求項２４】
前記燃焼触媒若しくはエンハンサーが、燃料に対する触媒若しくはエンハンサーが100,000,000分の1未満及び6,000,000,000,000分の1以上の濃度で、前記最終混合物中に存在することを特徴とする請求項２３記載の方法。
【請求項２５】
前記燃料の燃焼性を改善するための方法であって、
燃焼触媒若しくはエンハンサーを、水若しくは他の溶媒に混合して、第一プリミックスを生成するステップと、
前記第一のプリミックスを、親水性／親油性の有機化合物に混合して、第二プリミックスを生成するステップと、
前記第二のプリミックスを、前記燃料若しくは前記燃料と相溶性を有する溶媒に混合して、第三プリミックスを生成するステップと、
前記第三のプリミックスを、液体燃料に混合し、重量換算で、燃料に対する燃焼触媒の濃度を、約100,000,000,000分の1〜約6,000,000,000,000分の1の間の範囲とすることを特徴とする方法。
【請求項２６】
一以上のステップが、さらに別のサブステップに分割されることを特徴とする請求項２５記載の方法。
【請求項２７】
前記第三プリミックスを液体燃料に混合するステップにより、燃料に対する燃焼触媒若しくはエンハンサーの濃度を、約100,000,000,000分の1〜約6,000,000,000,000分の1の範囲とすることを特徴とする請求項２５記載の方法。
【請求項２８】
混合ステップが、電気攪拌手段を用いて実行されることを特徴とする請求項２３〜２７のいずれかに記載の方法。
【請求項２９】
燃焼エンジン内で燃料の燃焼性を向上させる方法であって、
燃焼触媒若しくはエンハンサーを、燃焼エンジンのための潤滑オイルに加えるステップを備え、
前記触媒が、重量基準若しくは体積基準で計算された、オイルに対する触媒の割合が、およそ1,000,000分の1レベルで添加されることを特徴とする方法。
【請求項３０】
前記燃焼触媒若しくはエンハンサーが、前記最終混合物中に、燃料に対する燃焼触媒が100,000,000分の1未満及び6,000,000,000,000分の1以上の濃度で存在することを特徴とする燃料と燃焼触媒との混合物。
【請求項３１】
前記燃焼触媒若しくはエンハンサーが、燃料に対して、500,000,000分の1未満及び3,000,000,000,000分の1以上の濃度で存在することを特徴とする請求項３０記載の燃料と燃焼触媒若しくはエンハンサーとの混合物。
【請求項３２】
前記燃焼触媒若しくはエンハンサーが、燃料に対して、1,000,000,000分の1未満及び3,000,000,000,000分の1以上の濃度で存在することを特徴とする請求項３１記載の燃料と燃焼触媒との混合物。
【請求項３３】
前記燃焼触媒が、燃料に対して、約100,000,000,000分の1〜約6,000,000,000,000分の1の間の濃度で存在することを特徴とする請求項３２記載の燃料と燃焼触媒との混合物。
【請求項３４】
燃料に添加するための混合物パックであって、燃焼触媒若しくはエンハンサーと適切な溶媒とを含有する混合パックにおいて、
所定量の燃料に前記混合パックを添加することにより、燃料に対して100,000,000分の1未満及び6,000,000,000,000分の1以上の濃度で存在する触媒が与えられることを特徴とする混合物パック。
【請求項３５】
前記適切な溶媒が、水、イソプロピルアルコール、メタノール、エタノール、ＭＴＢＥ、及び他の親水性／親油性の化合物の少なくとも一以上を含むことを特徴とする請求項３４記載の混合パック。
【請求項３６】
燃焼触媒もしくはエンハンサーのうち少なくとも一つ、及び水及び親水性／親油性の液体のうち一方を含むことを特徴とする混合物。
【請求項３７】
前記少なくとも一つの燃焼触媒若しくはエンハンサーが、表１、表２、表３若しくは表４から選ばれることを特徴とする混合物。
【請求項３８】
前記親水性／親油性の液体が、イソプロピルアルコール、メタノール、エタノール、ＭＴＢＥ、メチルエチルケトン、メチルイソブチルケトン及びメタノールの少なくとも一つであることを特徴とする請求項３６又は３７記載の混合物。
【請求項３９】
前記燃焼触媒若しくはエンハンサーが、溶媒に対して100分の4−10〜溶媒と燃料との混合物に対して1,000,000分の1の範囲にあることを特徴とする請求項３８記載の混合物。
【請求項４０】
さらに燃料を含むことを特徴とする請求項３８記載の混合物。
【請求項４１】
前記燃焼触媒若しくはエンハンサーが、燃料に対して200,000,000分の1〜6,000,000,000,000分の1の範囲で存在することを特徴とする請求項４０記載の混合物。
【請求項４２】
前記燃焼触媒若しくはエンハンサーが、燃料に対して1,000,000,000分の1〜3,000,000,000,000分の1の範囲で存在することを特徴とする請求項４１記載の混合物。
【請求項４３】
前記触媒が、燃料に対して2,400,000,000分の1〜2,500,000,000,000分の1の範囲で存在することを特徴とする請求項４２記載の混合物。
【請求項４４】
前記他の溶媒が、イソプロピルアルコール、メタノール、エタノール、ＭＴＢＥ、メチルエチルケトン、メタノールの少なくとも一つであることを特徴とする請求項２５記載の方法。
【請求項４５】
前記親水性／親油性化合物が、イソプロピルアルコール、メタノール、エタノール、ＭＴＢＥ、メチルエチルケトン、メチルイソブチルケトン、及びメタノールの少なくとも一つであることを特徴とする請求項４４記載の方法。
【請求項４６】
前記流体と相溶性を有する溶媒が、イソプロピルアルコール、メタノール、エタノール、ＭＴＢＥ、メチルエチルケトン、メチルイソブチルケトン及びメタノールの少なくとも一つであることを特徴とする請求項４５記載の方法。
【発明の詳細な説明】
【０００１】
（技術分野）
本発明は、改善された燃料の燃焼性、特に、燃焼性炭化水素ベースの燃料に関する。より詳細には、本発明は、エンジンの中の燃焼性を高めるための燃料に触媒もしくはエンハンサー（enhancer）を混合する方法及び混合物に関する。
【０００２】
（背景技術）
化石燃料、特にガソリンやディーゼルのような燃料から抽出されたオイルは、決して完全には効率的なものではない。燃焼が非効率的であるため、燃料の消費量が増大し、シリンダーヘッドやピストン上にカーボンが析出され、モーターの効率が変化してしまい、一酸化炭素、特に部分的に燃焼された炭化水素及び窒素酸化物（ＮＯＸ）のような有害な副生成物が過剰量生成されてしまう。
【０００３】
燃料の経済性を改善し、燃焼消費による有害物質を減少させるため、様々な燃料添加物が提案されてきた。燃焼されてない燃料及び部分的にしか燃焼されていない燃料は、燃焼プロセスの汚染源でもあり、燃料を購入する者にとって金銭的なロスでもある。先行技術において、フレームバーナー、ディーゼルエンジン、ガソリン内部燃焼エンジン、様々なタービンコンフィギュレーション（turbine configuration）を含む様々なタイプの燃料使用のために、燃焼改質剤を添加することが提案されてきた。検討した結果、これらの先行技術の添加物は、液体のキャリアーと混合された液体の状態、その他に燃焼システムに対して適切な固体状態の様々な形態をとっている。
【０００４】
Webbによる米国特許第4,129,421号には、エンジンもしくは加熱炉に使用される触媒燃料添加物が開示されている。特定のアルコール内にピクリン酸及び硫化鉄（Ｉ）の溶液を添加する。この実施例には、ガソリンエンジン内において、混合された触媒に対して約1,000,000,000分の10レベルで使用される添加物が示されている。ここでは、燃料用重油の使用のレベルは特定されてはいないが、より高いレベルの燃料用重油を使用することが示されている。全ての場合において、触媒が完全に燃料中に溶解されている。
【０００５】
Miller及びLiberによる米国特許第2,402,427号には、点火促進剤として、0.02〜3％の濃度（即ち1,000,000分の200〜30,000）のディーゼル燃料溶解性（diesel-fuel-soluble）有機物及び有機金属化合物の幅広いグループを使用することが開示されている。
【０００６】
触媒性金属などの燃料添加物に関する初期の特許の中で、Lyons及びMcKoneによる米国特許第2,086,775号及び米国特許第2,151,432号は、ガソリン、ベンゼン、燃料、オイル、灯油及びそれらを組み合わせたもの等の燃料ベースに対して、0.001〜0.0085％（即ち1,000,000分の10〜850）の有機金属化合物もしくは混合物を混合して、エンジンの様々な特性を改善することを開示している。米国特許第2,086,775号に開示されている金属の中には、コバルト、ニッケル、マグネシウム、鉄、銅、ウラニウム、モリブデン、バナジウム、ジルコニウム、ベリリウム、プラチナ、パラジウム、クロム、アルミニウム、トリウム及びセリウムのような希土類金属が記載されている。
【０００７】
米国特許2151,432号には、ソラニウム（solanum）、アンチモン、ヒ素、ビスマス、カドミウム、アドメイム、テルル、タリウム、スズ、バリウム、ホウ素、セシウム、ジジミウム、ランタン、カルシウム、ナトリウム、タンタル、チタニウム、タングステン、亜鉛が開示されている。両方の特許において、好ましい有機金属化合物は、金属アセチルアセトン、プロプリオニルアセトン、フォルミルアセトン、および同様のもののベータジケトン及び誘導体並びにそれらの同族体であった。
【０００８】
Lyons及びMcKoneは、前述のように、0.001〜0.04％（即ち、1,000,000分の10〜400）の濃度は、燃焼効率を改善するためには効率的でないが、その濃度により、触媒的活性の析出物が、燃焼チャンバー内に積層される場合と同様、長く使用することができるようになることを開示している。さらに、通常約0.01％（即ち、1,000,000分の100）の有機金属化合物で十分であるという内容を記述している。これは、一旦必要量の触媒活性析出物が積層され、その析出物が損失することに転換することによりその量の析出物を保持し続けるためである。
【０００９】
Bowers及びSpragueによる米国特許第4,891,050号及び第4,892,562号には、「極めて低い濃度」と呼ばれる領域において効率的な、燃料溶解性のプラチナグループの金属化合物を使用し、ガソリンエンジン及びディーゼルエンジンのそれぞれにおいての燃料の経済性を改善することが開示されている。この明細書の中において、極端に低いレベルとは、添加された燃料に対するプラチナ金属グループが1,000,000分の0.01〜1.0の範囲である場合をいう。
【００１０】
米国特許第4,629,472号では、燃料オイルに対して100,000,000分の0.05〜0.5の触媒を使用することが記載されている。これは、重量基準で、触媒を金属として測定した時のものである。触媒の好ましい範囲は、1,000,000分の0.02〜0.06（即ち、100,000,000分の2〜6）であった。先行技術において、触媒が燃焼プロセスに十分影響しない低限界値が存在することを示唆している。上述のように、Lyons及びMcKoneによる明細書には、一旦、十分な量の触媒活性析出物が発生すると、約1,000,000分の10〜400の濃度の触媒のみが効果的であることが示された。
【００１１】
Webbによる米国特許第4,129,421号も、十分な効果を与えるためには、100,000,000分の1レベルが必要であることを教示している。以前に使用された添加物より少ない量のレベルで燃焼を向上させることができる方法が開示されることは、意義のあることである。
【００１２】
（発明の開示）
本発明は、広く、燃焼触媒若しくはエンハンサーを、燃料燃焼システムに依存する極めて低い濃度で燃料に添加することによる燃料の燃焼性を向上させる方法、触媒を投入する方法に関する。極めて低いレベルとは、重量で換算された燃料に対する触媒若しくはエンハンサーが100,000,000分の1以下である場合をいう。極めて低いレベルは、重量で換算して、燃料に対する触媒若しくはエンハンサーが、50,000,000分の１以下のレベルであってもよい。最も好ましいのは、燃料に対する触媒もしくはエンハンサーが、重量換算で、約100,000,000分の１〜約6,000,000,000,000分の１の範囲にある場合である。
【００１３】
適当な触媒もしくはエンハンサーは、当業者に知られた適切な触媒もしくはエンハンサーまたはそれらを組み合わせた如何なるものを使用してもよいけれども、ポリ塩化ビニル、カリウムヘキサクロロプラチネート、ハイドロゲンヘキサクロロプラチネート、もしくは硝酸アンモニウムの中の一以上であってもよい。
【００１４】
燃焼は、内部燃焼エンジン、タービン、ボイラー、ジェットエンジン、加熱炉もしくは熱又はエネルギーを供給するための他の装置において起こる。好適には散布することにより、燃焼触媒もしくはエンハンサーを固体の燃料に添加してもよい。別の実施の形態では、燃焼触媒もしくはエンハンサーを気体性の燃料に添加してもよい。燃焼触媒もしくはエンハンサーなどの添加物を、酸素を燃焼プロセスに供給する気体のストリーム、もしくはタービンに加えられたストリームの中で機能させてもよい。
【００１５】
この方法には、空気の量を増加させ又は燃料の量を減少させるために、燃焼混合物内の燃料に対する空気の割合を変えることも含まれる。
【００１６】
第二の発明は、極めて低い濃度で燃焼触媒もしくはエンハンサーを燃料に混合する方法であって、
水もしくは他の可溶性溶媒に燃焼触媒を溶解し、第一プリミックスを形成する工程と、
前記第一プリミックスと、親水性／親油性の有機化合物とを混合することにより、前記第一プリミックスを希釈して、第二プリミックスを形成する工程と、
一以上の希釈ステップにより前記第二プリミックスを燃料もしくは他の適当な材料で希釈し、所望の極低濃度触媒を提供する工程とからなることを特徴とする。
【００１７】
上記親水性／親油性有機混合物は、好適には、イソプロピルアルコールもしくはメチルターシャリーブチルエーテル（ＭＴＢＥ）及び／又はメチルエチルケトン（ＭＥＫ）及び／又はメチルイソブチルケトン（ＭＩＢＫ）及び／又はブタノールである。メタノールは、様々な親水性／親油性の材料として適切である。
【００１８】
第三の発明は、燃焼触媒もしくは燃焼エンハンサーを燃料に混合する方法であって、
プリミックスを提供するため、上記燃焼触媒を、イソプロピルアルコール、ＭＴＢＥ、もしくは同様の物質等の親水性／親油性有機化合物に混合する工程と、
上記プリミックスを燃料に混合する工程とを備えることを特徴とする方法にある。
【００１９】
第四の発明は、一以上の触媒もしくは燃焼エンハンサー及び溶媒を含有する混合物パックであって、上記溶媒が、水及び／又はイソプロピルアルコール及び／又はＭＴＢＥ若しくは、所定量の燃料に対して混合物パックを添加することにより、燃料に対する触媒の濃度が100,000,000分の１以下の混合物を与えるような他の好適な溶媒であることを特徴とする混合物パックにある。
【００２０】
第五の発明は、燃料及び燃焼触媒を含有する混合物であって、上記燃焼触媒が、燃料に対して100,000,000分の１以下、好ましくは、約240,000,000分の１〜約1,200,000,000分の１、さらに6,000,000,000分の１程度であることを特徴とする混合物にある。
【００２１】
（発明を実施するための最良の形態）
本明細書において、「内部燃焼エンジン」という用語は、海洋用を含む全モバイル及び静置して使用するアプリケーションのための、全てのオットー、ディーゼルガソリン及び圧縮ガスエンジンもしくは他のエンジン、１サイクル当たり２ストローク、４ストロークのエンジン、及びロータリータイプのエンジンを含む。しかし、本発明は、ボイラー、タービン、及び加熱炉のような燃焼の好適な形態とともに使用されることは分かるはずである。本発明に係る方法及び混合物の使用は、エンジンだけに限定されるわけではなく、エンジンを応用したものに対しても特定の利点をもたらす。
【００２２】
本発明は、本発明者による発見、即ち、少なくとも部分的ではあるが、燃焼触媒もしくは燃焼エンハンサーを燃料に混合したとき、燃焼触媒もしくはエンハンサーが、極めて低いレベルの濃度において効果的であるという発見に基づいている。このレベルは、燃料に対して約240,000,000分の１程度〜6,000,000,000分の１程度もしくはそれ以下の範囲にある。
【００２３】
この燃焼触媒もしくはエンハンサーは、当業者に知られた如何なる触媒もしくはエンハンサーであってもよい。この触媒もしくはエンハンサーは、以下の表Ｉのグループの一以上の成分を含んでいてもよい。
（表１）
ルテニウム（ＩＶ）オキサイド
ルテニウム（III）クロライド
ルテニウム（III）クロライドトリハイドレート
ルテニウム（III）ブロマイド、およびそのハイドレート
アンモニウムアクオペンタクロロルテニウム（III）、（ＮＨ４）２ＲｕＣｌ５・Ｈ２Ｏ
カリウムルテニウム（VI）オキサイド、
ロジウム（III）オキサイド
ロジウム（III）クロライド、およびそのハイドレート
ロジウム（III）ナイトライド、およびそのハイドレート
イリジウム（III）クロライド
イリジウム（III）オキサイド
イリジウム（IV）オキサイド
ヘキサクロロイリジウム（IV）水素、およびそのハイドレート
ヘキサクロロイリジウム（IV）アンモニウム、およびそのハイドレート
オスミウムテトロキサイド
オスミウム（III）クロライド
プラチナブラック
プラチナ（IV）オキサイド、およびそのハイドレート
プラチナ（III）クロライド
プラチナ（IV）クロライド
ポリ塩化ビニル
ハイドロゲンヘキサクロロプラチナ（IV）ハイドレート
ハイドロゲンヘキサハイドロプラチナ（IV）
トテラアミンパラチナ（II）クロライドモノハイドレート
ジニトリトジアミンプラチナ（II）
ジハイドロゲンサルファトジニトリトプラチナ（II）
テトラアミンプラチナ（II）ジナイトレート
パラジウム（II）クロライド
パラジウム（II）オキサイド
パラジウム（II）ニトラテジハイドレート
アンモニウムヘキサクロロパラジウム（IV）
テトラアミンパラジウム（II）ナイトレート
カリウムテトラシアノパラジウム（II）トリハイドレート
カリウムペルヘネート(perrhenate)
レニウム（III）クロライド
tris-（アセチルアセトネート）レニウム（III）
cis-ジクロロ（2,2'-バイピリジン）プラチナ（II）、ＰｔＣｌ２（Ｃｌ１０Ｈ８Ｎ２）
ジクロロ（1,5-シクロオクタジエン）プラチナ（II）、ＰｔＣｌ２（Ｃ８Ｈ１２）
2-ハイドロキシエタンチオレート（2,2',2"-テルピリジン）プラチナ（II）ナイトレート、〔Ｐｔ（Ｃ２Ｈ５ＯＳ）（Ｃ１５Ｈ１１Ｎ３）〕ＮＯ３
トリカルボニルクロロイリジウム（I）、〔ＩｒＣｌ（ＣＯ３）〕ｎ
クロロ（1,5-シクロオクタジエン）イリジウム（I）ジマー、〔ＩｒＣｌ（Ｃ８Ｈ１２）〕２
トランス−ジクロロビス（エチレンジアミン）、イリジウム（III）クロライド、trans-〔ＩｒＣｌ２（Ｃ２Ｈ８Ｎ２）２〕Ｃｌ
ロジウム（II）オクタノエートジマー、Ｒｈ２〔Ｏ２Ｃ（ＣＨ２）６ＣＨ３〕４
アセチルアセトネート（1,5-シクロロオクタジエン）、ロジウム（I）、Ｒｈ（Ｃ８Ｈ１２）（Ｃ５Ｈ７Ｏ２）
アセチルアセトネート（ノルボルナジエン（norbornadiene））、ロジウム（I）、Ｒｈ（Ｃ７Ｈ８）（Ｃ５Ｈ７Ｏ２）
ハイドリドテトラキス（トリペニルフォスフィン）、ロジウム（I）、ＲｈＨ（ＰＰｈ３）４
ジアセテートビス（トリペニルフォスフィン）、パラジウム（II）（ＣＨ３ＣＯ２）２Ｐｄ（ＰＰｈ３）２
ビス（ジベンジルイデンアセテート）、パラジウム（Ｏ）Ｐｄ（Ｃ１７Ｈ１４Ｏ）２
ジクロロ〔1,2-ビス（ジフェニルフォスフィノ）エタン〕パラジウム（II）ＰｄＣｌ２（Ｐｈ２ＰＣＨ２ＣＨ２ＰＰｈ２）
パラジウム（II）トリフルオロアセテートＰｄ（ＣＦ３ＣＯ２）２
アセテートハイドリドトリス（トリフェニルフォスフィン）ルテニウム（II）ＲｕＨ（ＯＣＯＣＨ３）（ＰＰｈ３）３
ビス（ベンゼン）ジクロロdi-.mu.-クロロジルテニウム（II）〔ＲｕＣｌ２（Ｃ６Ｈ６）２〕２
トリス（２、２’−バイピリジン）ルテニウム（Ｏ）（Ｃ１０Ｈ８Ｎ２）３Ｒｕ
カルボニルジハイドリドトリス（トリフェニルフォスフィン）ルテニウム（II）ＲｕＨ２
（ＣＯ）（ＰＰｈ３）３
ビス（シクロペンタジエニル）ルテニウム（II）”Ruthenocene”（Ｃ５Ｈ５）２Ｒｕ
ジハイドリドテトラキス（トリフェニルフォスフィン）ルテニウム（II）ＲｕＨ２（ＰＰｈ３）４
ルテニウム（III）ヘキサフルオロアセチルアセテートＲｕ（ＣＦ３ＣＯＣＨＣＯＣＦ３）３
アンモニウムナイトレート
ジクロロエチレンジアミンプラチナ（II）〔Ｐｔ（Ｃ２Ｈ８Ｎ２）Ｃｌ２〕
ビス（アセチルアセトネート）プラチナ（II）〔Ｐｔ（Ｃ５Ｈ７Ｏ２）２〕
ジクロロビス（トリフェニルフォスフィン）プラチナ（II）〔ＰｔＣｌ２（ＰＰｈ３）２〕
テトラキス（トリフェニルフォスフィン）プラチナ（Ｏ）〔Ｐｔ（ＰＰｈ３）４〕
ビス（アセチルアセトネート）パラジウム（II）〔Ｐｄ（Ｃ５Ｈ７Ｏ２）２〕
ジクロロ（シクロオクタ−１，５−ジエン）パラジウム（II）〔Ｐｄ（Ｃ８Ｈ１２）Ｃｌ２〕
クロロ（.pi.-アリル）パラジウム（II）ジマー〔Ｐｄ（.pi.-Ｃ３Ｈ５）Ｃｌ〕２
パラジウム（II）アセテートトリマー〔Ｐｄ（ＣＨ３ＣＯ２）２〕３
トリ（アセチルアセトネート）ルテニウム（III）〔Ｒｕ（Ｃ５Ｈ７Ｏ２）３〕
ハイドリドカルボニルトリス（トリフェニルフォスフィン）ロジウム（I）〔Ｒｈ（Ｈ）（ＣＯ）（ＰＰｈ３）３〕
アセチルアセトネートジカルボニルロジウム（I）〔Ｒｈ（ＣＯ）２（Ｃ５Ｈ７Ｏ２）〕
トリス（アセチルアセトネート）ロジウム（III）〔Ｒｈ（Ｃ５Ｈ７Ｏ２）３〕
ブロモトリス（トリフェニルフォスフィン）ロジウム（I）〔ＲｈＢｒ（ＰＰｈ３）３〕
ロジウム（II）アセテートジマー〔Ｐｈ２（ＣＯ２ＣＨ３）４〕
トリス（アセチルアセトネート）イリジウム（III）〔Ｉｒ（Ｃ５Ｈ７Ｏ２）３〕
ドデカカルボニルトリオスミウム（Ｏ）Ｏｓ３（ＣＯ）１２
【００２４】
好ましいグループは、以下の表２に並べられている。
（表２）
パラジウム
パラジウム(II)塩化物
また臭化物、沃化物、硝酸塩水酸化物、酸化物、硫酸塩水酸化物および水酸化物として
Tris(ジベンジルイデンアセテート)ジパラジウム (0)
ジクロロ(1,1-ビスジフェニルフォスフィノ)フェロセネパラジウム(II)
アリルパラジウム(I1)クロライドジマー
trans-ジクロロビス(アセトニトリル)パラジウム(II)
trans-ジクロロビス(ベンゾニトリル)パラジウム(II)
trans-ジクロロビス(トリフェニルフォスフィン)パラジウム(II)
trans-アセテート(トリフェニルフォスフィン)パラジウム(II)
ジクロロ(ノルボルナジエン)パラジウム(II)
2、4n ペンタネジオネートパラジウム(II)
プラチナ
プラチナ(II)塩化物*
プラチナ(IV)塩化物*
*は、臭化物、ヨウ化物と硫化物の塩も含まれる。
プラチナ(IV)オキサイドハイドレート(Adamsi触媒)
2、4n ペンタネジオネートプラチナ(II)
ジブロモ(1,5-シクロオクタジエン)プラチナ(II)
ジイオド(1,5-シクロオクタジエン)プラチナ(II)
ビフェニル(1,5-シクロオクタジエン)プラチナ(II)
ジクロロビス(アセトニトリル)プラチナ(II)
ジクロロビス(ベンゾニトリル)プラチナ(II)
ジクロロ(ノルボルナジエン)プラチナ(II)
ジハイドロゲンヘキサクロロプラチナ(IV)
ロジウム
ロジウム(III)クロライドハイドレート
ロジウム(III)イオダイド
*酸化物、硫化物および臭化物塩としても利用可能である。
2,4-ペンタネジオネートロジウム(III)
ジカルボニル2,4-ペンタンジオネートロジウム(I)
クロロtris(トリフェニルフォスフィン)ロジウム(I)
ブロモカルボニルbis(トリフェニルフォスフィン)ロジウム(I)
クロロカルボニルbis(トリフェニルフォスフィン)ロジウム(I)
クロロ(ノルボルナンジエン)ロジウム(I)
Bis(1,5-シクロオクタジエン)ロジウム(I)テトラフルオロボレート
ルテニウム
ルテニウム(III)クロライドハドレート
*酸化物、臭化物、ヨウ化物およびアミン塩としても利用可能である。
ジクロロtris(トリフェニルフォスフィン)ルテニウム(II)
ジクロロtriカルボニルルテニウム(II)ジマー
2,4-ペンタネジオネートルテニウム(III)
ジクロロ(1,5-シクロオクタジエン)ルテニウム(III)オリゴマー
ジカルボニルbis(トリフェニルフォスフィン)ルテニウム(II)
Tri-ルテニウム(0)ドデカカルボニル
ルテニウムナイトロシルナイトレート（Nitrosylnitrate）
イリジウム
イリジウム(IV)クロライドハイドレート
*イリジウム(III)塩化物、酸化物、水酸化物、臭化物、硫化物およびヨウ化物塩として利用可能である。
2,4-ペンタンジオネートイリジウム(III)
2,4-ペンタンジオネートジカルボニルイリジウム(I)
クロロカルボニルbis(トリフェニルフォスフィン)イリジウム(I)
ハイドロカルボニルtris(トリフェニルフォスフィン)イリジウム(I)
Bis(1,5-シクロオクタジエン)イリジウム(I)テトラフルオロボレート
オスミウム
オスミウム(VIII)オキサイド
【００２５】
さらに触媒もしくはエンハンサーが、表３に並べられている。
（表３）
ランタン
セリウム
プラセオジウム
ネオジム
プロメチウム
サマリウム
ユウロピウム
ガドリニウム
テルビウム
ジスプロシウム
ホルミウム
エルビウム
ツリウム
イッテルビウム
触媒もしくはエンハンサーは、適切な形態のフッ化物、塩化物、臭化物、硫化物、窒化物、及び水和物の形態である。
【００２６】
（表４）
コバルト
ニッケル
マンガン
鉄
銅
モリブデン
バナジウム
ジルコニウム
ベリリウム
クロミウム
アルミニウム
トリウム
カドミウム
スズ
セシウム
カリウム
ナトリウム
タンタル
チタン
炭素
表４の成分は、フッ化物、塩化物、臭化物、硫化物、窒化物もしくは水和物として存在することが好ましい。
【００２７】
リストに挙がった触媒及びエンハンサーである有機金属錯体を使用することが好ましい。室温で溶媒に溶解する他の電解質を加えることが好ましい。
【００２８】
ある環境下で、燃料に対して6,000,000,000分の１以下の燃焼触媒もしくはエンハンサーの不純物を有していてもよい。燃料に対して8,000,000,000分の1もしくは10,000,000,000分の1もしくは12,000,000,000分の1程度のレベルであることが好ましいことは予想することができる。
【００２９】
燃焼触媒は、銀、金、プラチナ、特に銅、水銀パラジウム、アルミニウムパラジウム、ロジウムイリジウム及びアスニウムのような貴金属を含む。本発明に係る方法を使用した場合、触媒は、プラチナグループの化合物に起因するものである。この触媒は、実際有機物であってもよい。プラチナグループ化合物は、カリウムヘキサクロロプラチネート（ＩＶ）もしくはハイドロゲンヘキサクロロプラチネート（ＩＶ）であることが好ましい。別の実施の形態では、この燃焼触媒もしくはエンハンサーは、ポリ塩化ビニル（ＰＶＣ）及び／又は窒化アンモニウムであってもよい。
【００３０】
本明細書において、「燃焼触媒」もしくは「燃焼エンハンサー」もしくは「エンハンサー」もしくはこれらのバリエーションは、燃料に添加するための物質であって、一次燃料の燃焼性を向上させ、燃料の酸化を少なくとも一部で完全なものとし改善し、析出物の形成及び排気物の放出を最小にしもしくは減少させ、発生した析出物を焼き取り、内部燃焼エンジン等の燃料燃焼システムの全作動効率を改善する物質を含んでいる。「触媒」は、プロセスにおいて消費されずに、反応率を修正したりもしくは増加させたりする物質等の真の触媒を含む一方、そのような定義に限定されることなく、本明細書においては、燃焼を高めるが消費されてしまうような物質も含むものとする。この用語は、代替として、もしくは追加して使用することができ、化合物の全分類に拡張されるものと理解すべきである。本明細書において、燃焼触媒もしくはエンハンサーに対する言及は、溶解性の化合物に対する言及である。
【００３１】
内部燃焼エンジンは、燃料が、スパークもしくは圧縮により点火されるエンジンを含む。これは、オットーエンジンもしくはガソリンエンジンに限定されることなく、ディーゼルもしくはオイルエンジン、ガスタービン、層状給気機関、及びワンケル（Wankel）エンジン及びロータリエンジン、ジェットエンジン、及び同様のものを含む。
【００３２】
本発明において使用される燃料は、ガスもしくはガソリン、ディーゼル燃料、ガソホール及びバイオ燃料のような炭化水素燃料を含む。エンジン設計及び利用可能性と矛盾がないようなメタン、プロパン、ブタン、残油燃料、ケロセン、航空機用ガスなどの燃料を使用してもよい。蒸留された燃料は、よく知られており、通常液体燃料の大部分を占める。炭化水素系のガソリン蒸留燃料（モーターガソリン及びディーゼル燃料）を含む。そのような燃料は、アルコール、エーテル、有機窒化化合物及び同様のものなどの材料（メタノール、エタノール、ジエチルエーテル、メチルエーテル、及びニトロメタン）を含んでいてもよい。コーン、アルファルファ、頁岩（shale）及び石炭などの野菜もしくはミネラル源は、本発明の技術範囲内である。適当な燃料混合物の具体例として、ガソリン、エタノール、ディーゼル燃料、エーテル、ガソリン及びニトロメタンが含まれる。特に、好適な燃料はディーゼル燃料及びガソリンである。この表現は、固体燃料もしくは気体燃料、バンカー燃料（bunker fuel）及び他の重油を含む。
【００３３】
触媒及びエンハンサーを、最初、適当なキャリアーに混合してもよい。このキャリアーは、水、有機溶媒のような溶媒、もしくは他の適切な溶媒である。このような第一混合物により、第一プリミックスを生成する。その後キャリアー溶媒及び触媒を、さらに希釈された混合物に加え、第二のプリミックスを生成する。この点で適当な希釈化合物は、イソプロピルアルコールである。このイソプロピルアルコールは、水及びガソリン、ディーゼルもしくは他の炭化水素燃料と混ざり合う。ＭＴＢＥ、メタノール、エチレングリコール、エーテルもしくはモノエチレンもしくは他のタイプの親水性／親油性生成物を別に若しくは新たに追加して使用してもよい。
【００３４】
その後この第二プリミックスを更に適切なキャリアーで希釈し、第三のプリミックスもしくは触媒のエッセンス（essence）を形成する。さらに加えたキャリアーは、上記第二のプリミックスのステップで使用したものと同様のものであってもよい。また、それは最終燃料、もしくは最終燃料成分に上記第二のプリミックスを混合することもしくは分散させることを容易にする如何なる材料であってもよい。触媒のエッセンスは、この濃度において容易に運搬可能であり、エンドユーザーに都合よく、経済的に発送もしくは運搬することができるものである。
【００３５】
触媒のエッセンスは、さらに希釈してもよい。適当な希釈率は、たとえば1000分の1である。希釈材料は、第三のプリミックス工程において使用される同様の溶媒であってもよいし、最終燃料であってもよい。この希釈は、最終プリミックスコンビネーションもしくは基本混合を形成する。これらの最終プリミックスコンビネーションもしくは基本混合物は、その後燃焼のため最終燃料に加えられる。
【００３６】
以下に並べられた具体例は、例示であり、本発明のコンセプトの技術的範囲を限定するものと解してはならない。各希釈段階で完全な均一の分散がなされることが重要である。電気的な攪拌手段を用いることは、混合において好ましい。
【００３７】
（実施例１）
上記記載の発明による触媒添加の方法の具体例を以下に示す。
【００３８】
（ステップ１）
４〜１０重量％の可溶性触媒は、９６〜９０％の水、好ましくは浄化された水に溶解させる。別の実施の形態では、上記触媒を、アルコール、好ましくは単鎖アルコールと混合してもよい。アルコールは、低級のアルコールであってもよい。溶液もしくは溶媒を混合することにより、触媒を均一に溶解もしくは分散させるならば、この範囲は４〜１０％に設定されるけれども、触媒の濃度は、より高くてもよく、実際、より低くてもよい。最終目的は、最終燃料混合物における触媒を比較的均一に分散させることである。
【００３９】
（ステップ２）
ステップ１の混合物１グラムを１９グラムのイソプロピルアルコール及び／又はＭＴＢＥに加える。別の実施の形態に係る方法では、ステップ２において水を使用してもよい。このステップにおいて、希釈液として燃料を使用してもよい。
【００４０】
（ステップ３）
ステップ２の混合された混合物（例えば２０グラム）を適当な希釈溶液９８０グラムに加える。この希釈溶液は、最終燃料成分であってもよいし、別の実施形態では最終燃料成分に分散もしくは溶解する物質であってもよい。そのような適当な物質の具体例として、イソプロピルアルコール及びＭＴＢＥが挙げられる。水を使用してもよい。
【００４１】
（ステップ４）
その後、ステップ３の生成物を、ステップ３で使用される１以上の化合物もしくは最終燃焼可能燃料成分において、さらに1000分の1に希釈してもよい。この希釈により、基本的な触媒混合物を作成する。もし、最終生成物において、好ましい濃度の触媒とすることが望まれるならば、1000分の1という希釈率を変更してもよい。ステップ４において、水を使用するならば、イソプロピルアルコール及び／又はＭＴＢＥ２０に対して、生成された物質１を加えることが好ましい。これは、その後ステップ５において燃料に添加されるものである。もし、ステップ４において、水を、混合液体もしくは混合溶媒として使用し、燃料がディーゼルであるならば、ステップ４の生成物は、５０ppm以下の濃度で直接ディーゼル燃料に加えてもよい。寒い天候の時は、より高い率で困難に特面するかもしれない。
【００４２】
（ステップ５）
ステップ４の基本的な触媒混合物を重量において約100,000,000分の10〜約100,000,000分の80の間の割合で燃料に添加し、重量換算して、燃料に対する触媒が240,000,000,000(240 billion)分の1〜6,000,000,000,000（6 trillion）分の１の範囲の最終濃度が得られる。燃料に対する触媒若しくはエンハンサーが、100,000,000分の1未満もしくは6,000,000,000,000分の1以上の所望の濃度を得るため、適切な修正を行えばよいことは当業者にとって明らかである。
【００４３】
完全に混和性を有する親水性及び親油性の有機化合物（イソプロピルアルコール等）を使用する場合、燃料との最終混合は、比較的単純である。しかし、他の成分は、効率的に分散もしくは溶解するためには、かなりの機械的混合もしくは攪拌が必要である。これは、大量の水を使用したとき特にそうである。
【００４４】
最初、燃焼触媒を水の中に溶解し、その後親水性／親油性化合物を混合する前に、10分の1〜1000分の1に水で希釈すると、燃料を介して触媒を完全に分散させることは困難であり、満足すべき結果を得るためには、一定もしくは強度の混合もしくは攪拌が必要であることを本発明者らは見出した。本発明の技術的範囲は、触媒もしくはエンハンサーのコンビネーションまで範囲が拡大することに注意が必要である。触媒もしくはエンハンサーの全体量は、好ましい限定範囲内で減少させてもよい。別の実施の形態では、他の添加物と一緒に使用する場合、それぞれの添加物は、好ましい限定範囲内にあってもよい。
【００４５】
（実施例２）
（ステップ１）
重量に換算して、触媒８を水もしくは他の溶媒９２に溶解させる。
【００４６】
（ステップ２）
重量に換算して、ステップ１の混合物1をイソプロピルアルコール等の親水性／親油性有機化合物1000〜2000に添加する。これにより、燃料に対して完全に混和性を有する混合物を生成する。別の実施の形態では、混合液体はＭＴＢＥ及び／又は水もしくは最終燃料である。このプリミックスは、エッセンシャルプリミックスと名付けてもよい。
【００４７】
（ステップ３）
エッセンシャルプリミックスを、燃料もしくは完全に燃料と親和性を有する材料と1000分の1に希釈して、ベーシックプリミックスと称されるプリミックスを生成してもよい。この段階では、触媒を12,000,000分の1〜100,000,000分の1の濃度で存在させてもよい。例えば、この相溶性の物質が、一以上のイソプロピルアルコール、ＭＴＢＥ及び水であってもよい。
【００４８】
その後、ベーシックプリミックスを、1,000,000分の10〜50の割合で燃料に添加してもよい。
【００４９】
（ステップ４）
最終燃料に加えるとき、上記ベーシックプリミックスを20,000〜100,000分の１に希釈してもよい。希釈率は、好ましい結果となるように選択する。ここで、好ましい結果とは、触媒が、燃焼される燃料中に約240,000,000,000分の1〜約1,200,000,000,000分の1の範囲で存在することをいう。燃料に対して6,000,000,000,000分の1程度のレベルの与えるように、適当に希釈率を選択してもよい。しかし、この範囲は、燃料に対する触媒が100,000,000分の１〜6,000,000,000,000分の１程度の範囲であることは理解されるであろう。
【００５０】
本発明者は、不意に、燃焼エンハンサーを含む触媒が、検出が困難な程の極めて低いレベルにおいて効率的であるということを見出した。
【００５１】
この方法のステップは、時間で分けることができる。さらに、個々のステップを、当業者が同じ結果を与えることができると分かる複数のサブステップに分解することができる。
【００５２】
本発明を、作用の如何なる理論に限定することなく、本発明者らは、触媒の濃度が低いことにより、燃料中の分子が、互いに接触し酸素と結びつくよう理想的に配置されているためと推測する。即ち、触媒の分子の数が、燃料分子の数と比べて非常に少なく、そのことにより、より多くの燃料分子が個々の触媒分子に到達できるためである。
【００５３】
高い濃度の触媒は、通常錯体を形成することが知られている。触媒の錯体は、同等数の触媒分子であってバラバラの状態の触媒分子ほどスペースを奪わないため、使用されている触媒のほとんどが、高濃度において高い効率を有すると理論づけられる。触媒は希釈されるにしたがって、錯体はさらに分離して位置し、錯体の間により多くの燃料分子が存在することとなる。それにより触媒の効果が減少する。また、触媒がさらに希釈されるに従って、錯体はサイズが減少し始める。即ち、各錯体に存在する分子数は減少することとなる。これにより、より多くの燃料分子がより多くの触媒分子に到達し、触媒の効率が増加し始める。触媒が燃焼性の効率が再び向上することを示すような、個々バラバラの触媒分子が存在する（即ち、触媒の錯体が存在しない）状態まで希釈された場合、この効果の限界に達することができる。このポイントを経過して更に希釈することにより、各触媒分子は、取り囲む燃料分子の実質的な数とともにさらに離れることとなる。これに従って、効率における急激な減少が徐々に起こるであろう。本発明に係る最大効率は、燃料に対する触媒が、約240,000,000,000分の1〜1,200,000,000,000分の1の範囲にあるとき起こる。しかし、本発明により与えられる触媒が極めて低い濃度のかなりの範囲に亘って、燃焼効率が向上されることに注意が必要である。燃料に対する触媒の濃度を6,000,000,000,000分の1程度もしくはそれ以下まで拡張してもよい。
【００５４】
本発明の理論的な基礎のかなりの部分において、アボガドロ数は、6.02X1023であることに注意が必要である。この数字は、如何なる分子１モル内に含まれる分子の個数である。希釈率が1,000,000,000,000分の1である場合、6.02×2023の燃料分子に対して、およそ6.02×1011の触媒が存在することとなる。極端に低い濃度においてさえも、１リットルの燃料には、1,000,000,000の触媒分子が含まれる。結果的に、触媒を使用することにより、比較的高いレベルで効率を与える触媒であって、このレベルはその後触媒濃度が減少するにしたがって効率が逆説的に上昇する前において、触媒濃度の減少に従って減少することを特徴とする触媒に対して、逆ベル曲線（reverse Bell curve）タイプの性能を与えるようである。上述の効率は、急激に降下するまで、触媒の存在数が減少するにしたがって上昇する。これは、燃料6,000,000,000,000に対して触媒1となるまで過剰に希釈されると起こる。しかし、記載しているように、出願は、ある理論に辿り着くことを望むものではなく、推論的な説明のみにより上記のことを提供するものである。
【００５５】
（実施例３）
（ステップ１）
重量に換算して、触媒８（ポリ塩化ビニル、もしくはカリウムヘキサクロロプラチネート（ＩＶ）、ハイドロゲンヘキサクロロプラチネート（ＩＶ）若しくは硝酸アンモニア若しくは燃焼若しくは排気システム内に存在する他の触媒と相互作用しない如何なる重金属塩触媒）を水９２に溶解させる。
【００５６】
（ステップ２）
ステップ１の混合物１を、親水性／親油性の有機化合物（イソプロピルアルコール若しくはＭＴＢＥ等）1000〜2000に添加し、燃料と混和性を有する混合物であって、「エッセンシャル」プリミックスと称される混合物を作成する。
【００５７】
（ステップ３）
ステップ２におけるエッセンシャルプリミックス１を最終燃料タイプ1000に添加して、「ベーシックプリミックス」と称される最終プリミックスを生成する。
【００５８】
（ステップ４）
上記ベーシックプリミックスを燃料に添加して、およそ100,000分の50の濃度で燃焼される。これにより、約240,000,000,000分の1〜約1,200,000,000,000分の1の範囲で存在する触媒若しくはエンハンサーを好適に有する最終可燃性混合物を提供する。適当な希釈率は、燃料に対して200,000,000分の1〜6,000,000,000,000分の1若しくはそれ以下の範囲となるように、選択してもよい。ベーシックプリミックスを希釈し、燃料に添加されたときにより正確にさらに容易に測定されるようにしてもよい。
【００５９】
他の重金属触媒を、実施例３の方法に使用してもよい。重金属の塩（特に塩化物）を採用すると、特に使用しやすくなる。
本発明者らは、この方法を使用することにより、触媒若しくは燃焼エンハンサーとして一般的に知られていないＰＶＣが、上記のように作用するということを不意に見出した。
【００６０】
触媒は、混合物に対しておよそ12,000,000分の1〜100,000,000分の1でベーシックプリミックスに存在することが好ましい。ベーシックプリミックスは、容易に測定することができ、100,000,000分の10〜50の割合で燃料に添加される。この割合は、好ましい濃度を与えるのに必要である。このステップの正確さは、最終燃料混合物に加える前に、ベーシックプリミックスをさらに20分の1希釈することにより高められる。
【００６１】
本発明は、水、若しくは過酸化水素水のような水素／酸素化合物若しくは有機溶媒に溶解される触媒の量を少なくすることができるという利点を有する。
【００６２】
本発明は、少量の親水性／親油性の有機化合物を使用して、燃料と混和性を有する混合液を作成し、その後、使用される燃料中に、若しくは最終燃料成分と容易に混合される材料とともにその混合物を拡散させるための手順を提供するものである。
【００６３】
本発明の方法を最大限利用するに際し、燃焼エンジン内の空気及び燃料混合物の割合を制御する設定値を調整することが必要である。有利な効果は、上記燃料対空気比を減少させ、結果として燃料を完全かつ効率的に燃焼させ、体積当たりより高いエネルギーのリターンを得ることにより得られる。これにより、燃焼エンジンにおいて生成される排気物を低く抑えることができ、より経済的となる。
【００６４】
本発明の方法を固体燃料とともに使用して、燃焼前に、触媒混合物をこの固体燃料に散布してもよい。重量ベースで、この触媒を液体の混合と同様の濃度で添加してもよい。別の実施の形態では、触媒混合物を、エンジン内の燃焼のための酸素を提供する空気ストリームを介して、導入してもよい。触媒及び溶媒の混合物を用意し、適当な低濃度の触媒／燃料混合物を与えるような所定の量で空気ストリームに散布する。タービン、特に電気を発生させるために使用するものにおいて、スチームを導入して燃焼チャンバーを冷却する。触媒を、スチームを介してこれらのアプリケーションに添加してもよい。この触媒を直接スチームに添加してもよいし、最初に、水、イソプロピルアルコール、ＭＴＢＥ、若しくは他の適当な薬品と混合することが好ましい。添加率は、スチームの相対量により変化するが、触媒及び燃料の好ましい範囲の最終混合物を提供するため、当業者により容易に計算できる。
【００６５】
ある実施形態では、本発明に係る方法は、エンジン用潤滑オイルに対して極めて低いレベルで触媒を添加することにより作用する。エンジンオイルを用いてシリンダーを潤滑にすることにより、燃焼チャンバーに触媒を添加する。この場合、燃焼サイクル間にシリンダーバレル上に残留するオイルの量は微少であるので、潤滑油において、より大きな濃度で触媒を使用してもよい。エンジンオイル内の触媒濃度は、1,000,000分の1の範囲にあることが好ましい。
【００６６】
本発明により得られる利点は、経済的であること、及び効率が増加することである。燃料は、より効率的に、より完全に燃焼され、エネルギーの発生を増加させる。燃焼を起こすため、励起率がより低くてすみ、空気燃料混合物を介して、より均一な燃焼を達成することができる。これにより、ホットスポットを避けることができる。このホットスポットは、エンジンに対するダメージの危険性を上昇させ、ＮＯＸを発生させるものである。より完全な燃焼により、炭素を燃焼させることができ、それによりシリンダー内に析出物が積層されることを回避することができる。
【００６７】
燃焼触媒を燃料に導入することにより、排出物及びスモークの形成を減らすことができる。これは、不完全な燃焼による析出物のためである。
【００６８】
本明細書は、重量に依存した割合と関連するけれども、この割合が体積基準により、若しくは体積基準に対する重量により容易に決定することができることは明らかである。
【００６９】
本明細書を介して、本目的は、本発明をある実施の形態若しくは特定の修正に限定することなく、本発明の好ましい実施の形態を記載することである。それ故、同業者であれば、簡易な開示であることを踏まえて、本発明の技術的範囲から外れることなく例示された特定の実施の形態で、様々な修正及び変形をすることができることは明らかである。そのような全ての修正及び変形は、添付のクレームの範囲内に含まれる。
【国際公開パンフレット】
2005508441.tif 000002
2005508441.tif 000003
2005508441.tif 000004
2005508441.tif 000005
2005508441.tif 000006
2005508441.tif 000007
2005508441.tif 000008
2005508441.tif 000009
2005508441.tif 000010
2005508441.tif 000011
2005508441.tif 000012
2005508441.tif 000013
2005508441.tif 000014
2005508441.tif 000015
2005508441.tif 000016
2005508441.tif 000017
2005508441.tif 000018
2005508441.tif 000019
2005508441.tif 000020
2005508441.tif 000021
2005508441.tif 000022
2005508441.tif 000023
2005508441.tif 000024
2005508441.tif 000025
2005508441.tif 000026
2005508441.tif 000027
2005508441.tif 000028
【手続補正書】
【提出日】平成15年6月6日(2003.6.6)
【手続補正１】
【補正対象書類名】特許請求の範囲
【補正対象項目名】全文
【補正方法】変更
【補正の内容】
【特許請求の範囲】
【請求項１】
燃料の燃焼性を改善するための方法であって、
重量換算で、燃料100,000,000に対して燃焼触媒若しくはエンハンサー1以下の濃度で、燃料に１以上の燃焼触媒若しくはエンハンサーを加えるステップを含むことを特徴とする方法。
【請求項２】
さらに、前記１以上の触媒若しくはエンハンサーを溶解及び拡散させるステップを含むことを特徴とする請求項１記載の方法。
【請求項３】
重量換算で、燃料500,000,000に対して燃焼触媒若しくはエンハンサー1以下の濃度で、前記１以上の燃焼触媒若しくはエンハンサーがそれぞれ燃料に添加されることを特徴とする請求項１又は２記載の方法。
【請求項４】
重量換算で、燃料1,000,000,000に対して燃焼触媒若しくはエンハンサー1以下の濃度で、前記１以上の燃焼触媒若しくはエンハンサーがそれぞれ燃料に添加されることを特徴とする請求項１又は２記載の方法。
【請求項５】
重量換算で、燃料100,000,000,000に対して燃焼触媒若しくはエンハンサー1以下の濃度で、前記燃１以上の焼触媒若しくはエンハンサーがそれぞれ燃料に添加されることを特徴とする請求項１又は２記載の方法。
【請求項６】
重量換算で、燃料に対する燃焼触媒の濃度が、約100,000,000,000分の1〜約6,000,000,000,000分の1の範囲で、１以上の燃焼触媒若しくはエンハンサーがそれぞれ燃料に添加されることを特徴とする請求項１又は２記載の方法。
【請求項７】
重量換算で、燃料に対する燃焼触媒の濃度が、約100,000,000,000分の1〜約12,000,000,000,000分の1の範囲で、１以上の燃焼触媒若しくはエンハンサーがそれぞれ燃料に添加されることを特徴とする請求項１又は２記載の方法。
【請求項８】
前記１以上の燃焼触媒若しくはエンハンサーが、少なくとも、表１、表２、表３及び表４で特定される化学種の一つであることを特徴とする請求項１又は２記載の方法。
【請求項９】
前記１以上の燃焼触媒若しくはエンハンサーが、少なくとも、表１で特定される化学種の一つであることを特徴とする請求項８記載の方法。
【請求項１０】
前記１以上の燃焼触媒若しくはエンハンサーが、少なくとも、表２で特定される化学種の一つであることを特徴とする請求項８記載の方法。
【請求項１１】
前記１以上の燃焼触媒若しくはエンハンサーが、少なくとも、表３で特定される化学種の一つであることを特徴とする請求項８記載の方法。
【請求項１２】
前記１以上の燃焼触媒若しくはエンハンサーが、少なくとも、表４で特定される化学種の一つであることを特徴とする請求項８記載の方法。
【請求項１３】
前記１以上の燃焼触媒若しくはエンハンサーが、貴金属元素およびその合金を含んでいることを特徴とする請求項２記載の方法。
【請求項１４】
燃焼が、内部燃焼エンジン内で起こることを特徴とする請求項１〜１３のいずれかに記載の方法。
【請求項１５】
燃焼が、ボイラー、加熱炉内で起こり、該燃焼は熱を提供するためのものであることを特徴とする請求項１〜１３のいずれかに記載の方法。
【請求項１６】
燃焼が、ジェットエンジン若しくは他のタービンで起こることを特徴とする請求項１〜１３のいずれかに記載の方法。
【請求項１７】
前記１以上の燃焼触媒若しくはエンハンサーが、200,000,000分の1〜6,000,000,000,000分の1（ｗ／ｗ）の範囲の濃度で、燃料に散布することにより固体燃料に加えられることを特徴とする請求項１〜１３のいずれかに記載の方法。
【請求項１８】
前記１以上の燃焼触媒若しくはエンハンサーが、前記燃焼プロセスのため酸素を供給する空気ストリームに加えられることを特徴とする請求項１〜１３のいずれかに記載の方法。
【請求項１９】
前記１以上の燃焼触媒若しくはエンハンサーが、触媒とスチームとを結合させることにより燃焼タービンに添加されることを特徴とする請求項１〜１２のいずれかに記載の方法。
【請求項２０】
前記１以上の燃焼触媒若しくはエンハンサーを、気体状の燃料に添加することを特徴とする請求項１〜１２のいずれかに記載の方法。
【請求項２１】
燃焼が、エンジン内で起こり、燃焼触媒若しくはエンハンサー無しにエンジンを作動させた場合と比較したとき、燃焼混合物における燃料に対する空気の割合が増加することを特徴とする請求項１〜１３のいずれかに記載の方法。
【請求項２２】
前記１以上の燃焼触媒若しくはエンハンサーが、カリウムヘキサクロロプラチネート（ＩＶ）若しくはハイドロゲンヘキサクロロプラチネート（ＩＶ）の一方若しくは双方であることを特徴とする請求項２記載の方法。
【請求項２３】
前記１以上の燃焼触媒若しくはエンハンサーが、ポリ塩化ビニル及び／又は硝酸アンモニウムのうちの一つであることを特徴とする請求項１又は２記載の方法。
【請求項２４】
燃料の燃焼性を改善するための方法であって、
１以上の燃焼触媒若しくはエンハンサーを水若しくは他の溶媒と混合し、第一プリミックスを生成するステップと、
前記第一プリミックスを、親水性／親油性の有機化合物と混合し、第二プリミックスを生成するステップと、
前記第二プリミックスを前記燃料若しくは燃料と相溶性を有する媒質に混合し、第三プリミックを生成するステップと、
前記第三プリミックスを液体燃料に混合するステップとを備えることを特徴とする方法。
【請求項２５】
前記１以上の燃焼触媒若しくはエンハンサーが、前記最終混合物中に、燃料に対する触媒若しくはエンハンサーが100,000,000分の1未満及び6,000,000,000,000分の1以上の濃度で存在することを特徴とする請求項２４記載の方法。
【請求項２６】
前記燃料の燃焼性を改善するための方法であって、
１以上の燃焼触媒若しくはエンハンサーを、水若しくは他の溶媒に混合して、第一プリミックスを生成するステップと、
前記第一のプリミックスを、親水性／親油性の有機化合物に混合して、第二プリミックスを生成するステップと、
前記第二のプリミックスを、前記燃料若しくは前記燃料と相溶性を有する溶媒に混合して、第三プリミックスを生成するステップと、
前記第三のプリミックスを、液体燃料に混合し、重量換算で、燃料に対する、少なくとも一つの燃焼触媒若しくはエンハンサーの割合が、約100,000,000,000分の1〜約12,000,000,000,000分の1の間の範囲の濃度を与えることを特徴とする方法。
【請求項２７】
１以上のステップが、さらに別のサブステップに分割されることを特徴とする請求項２６記載の方法。
【請求項２８】
前記第三プリミックスを液体燃料に混合するステップが、燃料に対する燃焼触媒若しくはエンハンサーの濃度を、約100,000,000,000分の1〜約12,000,000,000,000分の1の範囲とすることを特徴とする請求項２６記載の方法。
【請求項２９】
混合ステップが、電気攪拌手段を用いて実行されることを特徴とする請求項２４〜２８のいずれかに記載の方法。
【請求項３０】
燃焼エンジン内で燃料の燃焼性を向上させる方法であって、
燃焼触媒若しくはエンハンサーを、燃焼エンジンのための潤滑オイルに加えるステップを備え、
前記触媒が、重量基準若しくは体積基準で計算されたオイルに対する触媒の割合がおよそ1,000,000分の1レベルで添加されることを特徴とする方法。
【請求項３１】
前記燃焼触媒若しくはエンハンサーが、前記最終混合物中に、燃料に対する燃焼触媒が100,000,000分の1未満及び6,000,000,000,000分の1以上の濃度で存在することを特徴とする燃料と燃焼触媒若しくはエンハンサーとの混合物。
【請求項３２】
前記燃焼触媒若しくはエンハンサーが、燃料に対して、500,000,000分の1未満及び3,000,000,000,000分の1以上の濃度で存在することを特徴とする請求項３０記載の燃料と燃焼触媒との混合物。
【請求項３３】
前記燃焼触媒が、燃料に対して、1,000,000,000分の1未満及び3,000,000,000,000分の1以上の濃度で存在することを特徴とする請求項３１記載の燃料と燃焼触媒との混合物。
【請求項３４】
前記燃焼触媒が、燃料に対して、約100,000,000,000分の1〜約6,000,000,000,000分の1の間の濃度で存在することを特徴とする請求項３２記載の燃料と燃焼触媒との混合物。
【請求項３５】
燃料に添加するための混合物パックであって、燃焼触媒若しくはエンハンサーと適切な溶媒とを含有する混合パックにおいて、
所定量の燃料に前記混合パックを添加することにより、燃料に対して100,000,000分の1未満及び6,000,000,000,000分の1以上の濃度で存在する触媒が与えられることを特徴とする混合物パック。
【請求項３６】
前記適切な溶媒が、水、イソプロピルアルコール、メタノール、エタノール、ＭＴＢＥ、及び他の親水性／親油性の化合物の少なくとも一以上を含むことを特徴とする請求項３４記載の混合パック。
【請求項３７】
燃焼触媒もしくはエンハンサーのうち少なくとも１つ、及び水及び親水性／親油性の液体のうち一方を含むことを特徴とする混合物。
【請求項３８】
前記少なくとも一つの燃焼触媒若しくはエンハンサーが、表１、表２、表３若しくは表４から選ばれることを特徴とする請求項３７記載の混合物。
【請求項３９】
前記親水性／親油性の液体が、イソプロピルアルコール、メタノール、エタノール、ＭＴＢＥ、メチルエチルケトン、メチルイソブチルケトン及びメタノールの少なくとも一つであることを特徴とする請求項３７又は３８記載の混合物。
【請求項４０】
前記燃焼触媒若しくはエンハンサーが、溶媒に対して100分の4−10〜溶媒と燃料との混合物に対して1,000,000分の1の範囲にあることを特徴とする請求項３９記載の混合物。
【請求項４１】
さらに燃料を含むことを特徴とする請求項３９記載の混合物。
【請求項４２】
前記燃焼触媒若しくはエンハンサーが、燃料に対して200,000,000分の1〜12,000,000,000,000分の1の範囲で存在することを特徴とする請求項４１記載の混合物。
【請求項４３】
前記燃焼触媒若しくはエンハンサーが、燃料に対して1,000,000,000分の1〜3,000,000,000,000分の1の範囲で存在することを特徴とする請求項４１記載の混合物。
【請求項４４】
前記燃焼触媒若しくはエンハンサーが、燃料に対して2,400,000,000分の1〜2,500,000,000,000分の1の範囲で存在することを特徴とする請求項２３記載の混合物。
【請求項４５】
前記他の溶媒が、イソプロピルアルコール、メタノール、エタノール、ＭＴＢＥ、メチルエチルケトン、メタノールの少なくとも一つであることを特徴とする請求項２６記載の方法。
【請求項４６】
前記親水性／親油性化合物が、イソプロピルアルコール、メタノール、エタノール、ＭＴＢＥ、メチルエチルケトン、メチルイソブチルケトン、及びメタノールの少なくとも一つであることを特徴とする請求項４５記載の方法。
【請求項４７】
前記流体と相溶性を有する溶媒は、イソプロピルアルコール、メタノール、エタノール、ＭＴＢＥ、メチルエチルケトン、メチルイソブチルケトン及びメタノールの少なくとも一つであることを特徴とする請求項４６記載の方法。
【手続補正書】
【提出日】平成16年2月24日(2004.2.24)
【手続補正１】
【補正対象書類名】特許請求の範囲
【補正対象項目名】全文
【補正方法】変更
【補正の内容】
【特許請求の範囲】
【請求項１】
燃料の燃焼性を改善するための方法であって、
重量換算で、燃料100,000,000に対して燃焼触媒若しくはエンハンサー1以下の濃度で、１以上の燃焼触媒若しくはエンハンサーを燃料に加えるステップを含むことを特徴とする方法。
【請求項２】
さらに、前記１以上の触媒若しくはエンハンサーを溶解及び拡散させるステップを含むことを特徴とする請求項１記載の方法。
【請求項３】
重量換算で、燃料500,000,000に対して燃焼触媒若しくはエンハンサー1以下の濃度で、前記１以上の燃焼触媒若しくはエンハンサーがそれぞれ燃料に添加されることを特徴とする請求項１又は２記載の方法。
【請求項４】
重量換算で、燃料1,000,000,000に対して燃焼触媒若しくはエンハンサー1以下の濃度で、前記１以上の燃焼触媒若しくはエンハンサーがそれぞれ燃料に添加されることを特徴とする請求項１又は２記載の方法。
【請求項５】
重量換算で、燃料100,000,000,000に対して燃焼触媒若しくはエンハンサー1以下の濃度で、前記燃１以上の焼触媒若しくはエンハンサーがそれぞれ燃料に添加されることを特徴とする請求項１又は２記載の方法。
【請求項６】
重量換算で、燃料に対する燃焼触媒の濃度が、約100,000,000,000分の1〜約6,000,000,000,000分の1の範囲で、１以上の燃焼触媒若しくはエンハンサーがそれぞれ燃料に添加されることを特徴とする請求項１又は２記載の方法。
【請求項７】
重量換算で、燃料に対する燃焼触媒の濃度が、約100,000,000,000分の1〜約12,000,000,000,000分の1の範囲で、１以上の燃焼触媒若しくはエンハンサーがそれぞれ燃料に添加されることを特徴とする請求項１又は２記載の方法。
【請求項８】
前記１以上の燃焼触媒若しくはエンハンサーが、少なくとも、表１、表２、表３及び表４で特定される化学種の一つであることを特徴とする請求項１又は２記載の方法。
【請求項９】
前記１以上の燃焼触媒若しくはエンハンサーが、少なくとも、表１で特定される化学種の一つであることを特徴とする請求項８記載の方法。
【請求項１０】
前記１以上の燃焼触媒若しくはエンハンサーが、少なくとも、表２で特定される化学種の一つであることを特徴とする請求項８記載の方法。
【請求項１１】
前記１以上の燃焼触媒若しくはエンハンサーが、少なくとも、表３で特定される化学種の一つであることを特徴とする請求項８記載の方法。
【請求項１２】
前記１以上の燃焼触媒若しくはエンハンサーが、少なくとも、表４で特定される化学種の一つであることを特徴とする請求項８記載の方法。
【請求項１３】
前記１以上の燃焼触媒若しくはエンハンサーが、貴金属元素およびその合金を含んでいることを特徴とする請求項２記載の方法。
【請求項１４】
燃焼が、内部燃焼エンジン内で起こることを特徴とする請求項１〜１３のいずれかに記載の方法。
【請求項１５】
燃焼が、ボイラー、加熱炉内で起こり、該燃焼は熱を提供するためのものであることを特徴とする請求項１〜１３のいずれかに記載の方法。
【請求項１６】
燃焼が、ジェットエンジン若しくは他のタービンで起こることを特徴とする請求項１〜１３のいずれかに記載の方法。
【請求項１７】
前記１以上の燃焼触媒若しくはエンハンサーが、200,000,000分の1〜6,000,000,000,000分の1（ｗ／ｗ）の範囲の濃度で、燃料に散布することにより固体燃料に加えられることを特徴とする請求項１〜１３のいずれかに記載の方法。
【請求項１８】
前記１以上の燃焼触媒若しくはエンハンサーが、前記燃焼プロセスのため酸素を供給する空気ストリームに加えられることを特徴とする請求項１〜１３のいずれかに記載の方法。
【請求項１９】
前記１以上の燃焼触媒若しくはエンハンサーが、触媒とスチームとを結合させることにより燃焼タービンに添加されることを特徴とする請求項１〜１２のいずれかに記載の方法。
【請求項２０】
前記１以上の燃焼触媒若しくはエンハンサーを、気体状の燃料に添加することを特徴とする請求項１〜１２のいずれかに記載の方法。
【請求項２１】
燃焼が、エンジン内で起こり、燃焼触媒若しくはエンハンサー無しにエンジンを作動させた場合と比較したとき、燃焼混合物における燃料に対する空気の割合が増加することを特徴とする請求項１〜１３のいずれかに記載の方法。
【請求項２２】
前記１以上の燃焼触媒若しくはエンハンサーが、カリウムヘキサクロロプラチネート（ＩＶ）若しくはハイドロゲンヘキサクロロプラチネート（ＩＶ）の一方若しくは双方であることを特徴とする請求項２記載の方法。
【請求項２３】
前記１以上の燃焼触媒若しくはエンハンサーが、ポリ塩化ビニル及び／又は硝酸アンモニウムのうちの一つであることを特徴とする請求項１又は２記載の方法。
【請求項２４】
燃料の燃焼性を改善するための方法であって、
１以上の燃焼触媒若しくはエンハンサーを水若しくは他の溶媒と混合し、第一プリミックスを生成するステップと、
前記第一プリミックスを、親水性／親油性の有機化合物と混合し、第二プリミックスを生成するステップと、
前記第二プリミックスを前記燃料若しくは燃料と相溶性を有する媒質に混合し、第三プリミックを生成するステップと、
前記第三プリミックスを液体燃料に混合するステップとを備えることを特徴とする方法。
【請求項２５】
前記１以上の燃焼触媒若しくはエンハンサーが、前記最終混合物中に、燃料に対する触媒若しくはエンハンサーが100,000,000分の1未満及び6,000,000,000,000分の1以上の濃度で存在することを特徴とする請求項２４記載の方法。
【請求項２６】
前記燃料の燃焼性を改善するための方法であって、
１以上の燃焼触媒若しくはエンハンサーを、水若しくは他の溶媒に混合して、第一プリミックスを生成するステップと、
前記第一のプリミックスを、親水性／親油性の有機化合物に混合して、第二プリミックスを生成するステップと、
前記第二のプリミックスを、前記燃料若しくは前記燃料と相溶性を有する溶媒に混合して、第三プリミックスを生成するステップと、
前記第三のプリミックスを、液体燃料に混合し、重量換算で、燃料に対する、少なくとも一つの燃焼触媒若しくはエンハンサーの割合が、約100,000,000,000分の1〜約12,000,000,000,000分の1の間の範囲の濃度を与えることを特徴とする方法。
【請求項２７】
１以上のステップが、さらに別のサブステップに分割されることを特徴とする請求項２６記載の方法。
【請求項２８】
前記第三プリミックスを液体燃料に混合するステップが、燃料に対する燃焼触媒若しくはエンハンサーの濃度を、約100,000,000,000分の1〜約12,000,000,000,000分の1の範囲とすることを特徴とする請求項２６記載の方法。
【請求項２９】
混合ステップが、電気攪拌手段を用いて実行されることを特徴とする請求項２４〜２８のいずれかに記載の方法。
【請求項３０】
燃焼エンジン内で燃料の燃焼性を向上させる方法であって、
燃焼触媒若しくはエンハンサーを、燃焼エンジンのための潤滑オイルに加えるステップを備え、
前記触媒が、重量基準若しくは体積基準で計算されたオイルに対する触媒の割合がおよそ1,000,000分の1レベルで添加されることを特徴とする方法。
【請求項３１】
前記燃焼触媒若しくはエンハンサーが、前記最終混合物中に、燃料に対する燃焼触媒が100,000,000分の1未満及び6,000,000,000,000分の1以上の濃度で存在することを特徴とする燃料と燃焼触媒若しくはエンハンサーとの混合物。
【請求項３２】
前記燃焼触媒若しくはエンハンサーが、燃料に対して、500,000,000分の1未満及び3,000,000,000,000分の1以上の濃度で存在することを特徴とする請求項３１記載の燃料と燃焼触媒若しくはエンハンサーとの混合物。
【請求項３３】
前記燃焼触媒若しくはエンハンサーが、燃料に対して、1,000,000,000分の1未満及び3,000,000,000,000分の1以上の濃度で存在することを特徴とする請求項３１記載の燃料と燃焼触媒若しくはエンハンサーとの混合物。
【請求項３４】
前記燃焼触媒若しくはエンハンサーが、燃料に対して、約100,000,000,000分の1〜約6,000,000,000,000分の1の間の濃度で存在することを特徴とする請求項３３記載の燃料と燃焼触媒との混合物。
【請求項３５】
燃料に添加するための混合物パックであって、燃焼触媒若しくはエンハンサーと適切な溶媒とを含有する混合パックにおいて、
所定量の燃料に前記混合パックを添加することにより、燃料に対して100,000,000分の1未満及び12,000,000,000,000分の1以上の濃度で存在する触媒若しくはエンハンサーが与えられることを特徴とする混合物パック。
【請求項３６】
前記適切な溶媒が、水、イソプロピルアルコール、メタノール、エタノール、ＭＴＢＥ、及び他の親水性／親油性の化合物の少なくとも一以上を含むことを特徴とする請求項３４記載の混合パック。
【請求項３７】
燃焼触媒もしくはエンハンサーのうち少なくとも１つ、及び水及び親水性／親油性の液体のうち一方を含むことを特徴とする混合物。
【請求項３８】
前記少なくとも一つの燃焼触媒若しくはエンハンサーが、表１、表２、表３若しくは表４から選ばれることを特徴とする請求項３７記載の混合物。
【請求項３９】
前記親水性／親油性の液体が、イソプロピルアルコール、メタノール、エタノール、ＭＴＢＥ、メチルエチルケトン、メチルイソブチルケトン及びメタノールの少なくとも一つであることを特徴とする請求項３７又は３８記載の混合物。
【請求項４０】
前記燃焼触媒若しくはエンハンサーが、溶媒に対して100分の4−10〜溶媒と燃料との混合物に対して1,000,000分の1の範囲にあることを特徴とする請求項３９記載の混合物。
【請求項４１】
さらに燃料を含むことを特徴とする請求項３９記載の混合物。
【請求項４２】
前記燃焼触媒若しくはエンハンサーが、燃料に対して200,000,000分の1〜12,000,000,000,000分の1の範囲で存在することを特徴とする請求項４１記載の混合物。
【請求項４３】
前記燃焼触媒若しくはエンハンサーが、燃料に対して1,000,000,000分の1〜3,000,000,000,000分の1の範囲で存在することを特徴とする請求項４１記載の混合物。
【請求項４４】
前記燃焼触媒若しくはエンハンサーが、燃料に対して2,400,000,000分の1〜2,500,000,000,000分の1の範囲で存在することを特徴とする請求項２３記載の混合物。
【請求項４５】
前記他の溶媒が、イソプロピルアルコール、メタノール、エタノール、ＭＴＢＥ、メチルエチルケトン、メタノールの少なくとも一つであることを特徴とする請求項２６記載の方法。
【請求項４６】
前記親水性／親油性化合物が、イソプロピルアルコール、メタノール、エタノール、ＭＴＢＥ、メチルエチルケトン、メチルイソブチルケトン、及びメタノールの少なくとも一つであることを特徴とする請求項４５記載の方法。
【請求項４７】
前記流体と相溶性を有する溶媒は、イソプロピルアルコール、メタノール、エタノール、ＭＴＢＥ、メチルエチルケトン、メチルイソブチルケトン及びメタノールの少なくとも一つであることを特徴とする請求項４６記載の方法。
【国際調査報告】
2005508441.tif 000029
2005508441.tif 000030
2005508441.tif 000031
2005508441.tif 000032
2005508441.tif 000033